(57)【要約】【課題】レーザ治療装置におけるレーザの照射・停止をハンドピースの手元で行えるようにすると共に、操作性が良好で、かつ、信頼性の高い手元スイッチを備えたレーザハンドピースを提供する。【解決手段】手元スイッチ１０は、複数のスイッチ１３1，１３2がレーザハンドピース１の胴体部２の外周に形成した環状溝１１内に設けられ、該環状溝１１に均等に配設され、弾性を有するＣリング１２を介してキャップ部材１４が被され、ハンドピース１内に固定されている。手元スイッチ１０は、円周上のどの位置を押してもスイッチのオン・オフ操作が可能となっている。【選択図】図１
2004216170.tif 000002
【特許請求の範囲】
【請求項１】
レーザ治療装置におけるレーザハンドピースにおいて、ハンドピースの胴体部に形成した環状溝内にレーザの発振・停止をコントロールする手元スイッチを複数個並列動作可能に設けたことを特徴とするレーザハンドピース。
【請求項２】
上記手元スイッチは、弾性部材からなり前記ハンドピースの胴体部の外径とほぼ同じ外径を有するＣリングと、該Ｃリングと上記環状溝との円周上に配置された複数の押しボタンスイッチとを具備することを特徴とする請求項１記載のレーザハンドピース。
【請求項３】
上記手元スイッチは、上記Ｃリングの外周面に被せられたゴムまたは樹脂材からなる環状のキャップ部材により前記ハンドピースの胴体部へ固定されていることを特徴とする請求項２記載のレーザハンドピース。
【請求項４】
上記環状のキャップ部材は、その両縁部が前記ハンドピースの胴体部に接着されていることを特徴とする請求項３記載のレーザハンドピース。
【請求項５】
上記環状のキャップ部材は、ハンドピースと一体成形されていることを特徴とする請求項３記載のレーザハンドピース。
【請求項６】
上記手元スイッチは、複数個の押しボタンスイッチが円周上に均等配置されていることを特徴とする請求項３又は４又は５記載のレーザハンドピース。
【発明の詳細な説明】
【技術分野】
【０００１】
本発明は、レーザハンドピース、より詳細には、外科、歯科医療等において生体組織の切開、蒸散等に用いるレーザハンドピースに関する。
【背景技術】
【０００２】
レーザハンドピースを用いて生体組織の切開、蒸散等を行う場合、レーザ光の発振及び停止は、通常、床に設置されるフットスイッチで行うようになっている。
【発明の開示】
【発明が解決しようとする課題】
【０００３】
このような従来のレーザ治療装置では、他の機器のフットスイッチとレーザ治療装置のフットスイッチとを間違えて踏んでしまうことがあり、レーザ光を誤照射するおそれがあった。
【０００４】
本発明の第１の目的は、レーザ光の照射、停止を行うスイッチをレーザハンドピースに設け、誤照射するおそれのない安全で、かつ、操作性と信頼性に優れたレーザハンドピースを提供しようとするものである。
【０００５】
上述のように、レーザ光の照射・停止をハンドピースに設けられたスイッチにて行うようにした場合、光ファイバー繰り出し方式のレーザハンドピースにおいては、光ファイバーの長さは該光ファイバーを繰り出す毎に短くなっていくが、前記スイッチのリード線は一定長であるので、前記光ファイバーとリード線とを同一のケーブルにて構成した場合、光ファイバーを繰り出す毎に、前記ケーブルが引き攣った状態となり、ついには、使いものにならなくなってしまう。
【課題を解決するための手段】
【０００６】
請求項１の発明は、レーザ治療装置におけるレーザハンドピースにおいて、ハンドピースの胴体部に形成した環状溝内にレーザの発振・停止をコントロールする手元スイッチを複数個並列動作可能に設けたものである。
【０００７】
請求項２の発明は、請求項１の発明において、上記手元スイッチは、弾性部材からなり前記ハンドピースの胴体部の外径とほぼ同じ外径を有するＣリングと、該Ｃリングと上記環状溝との円周上に配置された複数の押しボタンスイッチとを具備するようにしたものである。
【０００８】
請求項３の発明は、請求項２の発明において、上記手元スイッチは、上記Ｃリングの外周面に被せられたゴムまたは樹脂材からなる環状のキャップ部材により前記ハンドピースの胴体部へ固定されているようにしたものである。
【０００９】
請求項４の発明は、請求項３の発明において、上記環状のキャップ部材は、その両縁部が前記ハンドピースの胴体部に接着されているようにしたものである。
【００１０】
請求項５の発明は、請求項３の発明において、上記環状のキャップ部材は、ハンドピースと一体成形されているようにしたものである。
【００１１】
請求項６の発明は、請求項３又は４又は５の発明において、上記手元スイッチは、３個の押しボタンスイッチが円周上に均等配置されているようにしたものである。
【発明の効果】
【００１２】
本発明のレーザハンドピースによれば、簡単な構成でレーザ治療装置におけるレーザ照射のオン・オフ制御を手元でできるようになり、従来のように他の機器のフットスイッチと間違えて誤照射することがなくなる。また、スイッチ操作を容易に行うことができ、一つの押しボタンスイッチが動作不良になっても、他のボタンスイッチで機能が維持されることから、スイッチ部の信頼性を高めることができるなど優れた効果を有している。
【発明を実施するための最良の形態】
【００１３】
図１は、本発明によるレーザハンドピースの一実施例を説明するための図で、図１（Ａ）は一部を断面にて示す全体構成図、図１（Ｂ）は図１（Ａ）におけるＢ−Ｂ断面図で、図中、１はレーザハンドピース本体、２はハンドピースの胴体部、３は図示しないレーザ光源部からレーザハンドピース１にレーザ光を伝送する光ファイバー及び該レーザハンドピースに設けられたスイッチ用のリード線等を収納しているケーブル、４はハンドピース本体の先端部に設けられ患部にレーザ光を照射するファイバー、１０はハンドピース胴体部に設けられレーザ光の照射・停止をコントロールする手元スイッチ部である。
【００１４】
手元スイッチ部１０は、ハンドピース本体の胴体部２に設けられた環状溝１１と、弾性を有するＣリング１２と、該Ｃリング１２と環状溝１１との間の円周上に設けられた複数（例えば３個）の押しボタンスイッチ１３1，１３2，１３3と、ゴムまたは樹脂などの材質からなり、前記Ｃリング１２の外周面を固定する環状のキャップ部材１４とからなっている。キャップ部材１４の幅は、Ｃリング１２の幅より広く環状溝１１の段部にぴったり納まる寸法となっており、レーザハンドピースの胴体にきつめに被せられることによって、ハンドピースへのスイッチ部の固定と共にスイッチ部の気密性も得ている。キャップ部材１４はその両縁部をハンドピースの胴体部に接着してもよく、あるいは、ハンドピースと一体成形するようにしてもよい。
【００１５】
上記の実施例では、押しボタンスイッチがハンドピースの円周上に複数配置され、Ｃリングを介して押圧するようになっているので、円周上のどの位置を押してもスイッチのオン・オフ操作が可能となる。従って、レーザハンドピースをどの向きに回しても無理なくスイッチ操作が行える。
【００１６】
図２は、本発明によるレーザハンドピース用スイッチ装置の実施例を示し、この実施例は、手元スイッチ装置２０を光ファイバー繰り出し式の既存のレーザハンドピース１に着脱自在に付加できるようにしたもので、図２（Ａ）は、手元スイッチ装置２０とレーザハンドピース１を分離した時の斜視図、図２（Ｂ）は、ハンドピース１に手元スイッチ装置２０を被せた時の正面図、図２（Ｃ）は、図２（Ａ）のＣ−Ｃ断面図である。レーザの照射・停止をコントロールする手元スイッチ装置２０は、ハンドピースの軸方向に複数個（例えば２個）の押しボタンスイッチ２４1，２４2が配置されたスイッチ部２１と、該スイッチ部２１をハンドピース１の胴体部２にきつめに被せ、これにより、手元スイッチ装置２０をハンドピース１の胴体部２に着脱自在に固定するためのホールド部２２と、レーザ光源部へのリード線２３とから構成されている。
【００１７】
本実施例の場合、図２（Ｂ）において矢印Ａ又はＢで示すように、ハンドピースに取り付けられた手元スイッチ装置２０は、ハンドピース１の軸に垂直な方向に自由度を有しており、術者あるいは照射部位により最もスイッチを押し易い位置に固定することができる。また、手元スイッチ装置２０はハンドピース１の軸方向に複数個、例えば、２個の押しボタンスイッチを、図２（Ｄ）に２４1，２４2にて示すように、並列に配置した構成となっており、これにより、スイッチの位置を探さなくても容易にスイッチ操作が行えるようになっている。また、並列接続しておくことにより、一つの押しボタンスイッチが動作不良になっても、他の押しボタンスイッチで機能が維持されるので、スイッチ部の信頼性を高めることができる。
【００１８】
また、レーザ光照射用の光ファイバー４と手元スイッチ装置２０用のリード線２３が分かれていることにより、特に、光ファイバー繰り出し式のハンドピースの場合、ハンドピースの光ファイバーを繰り出しても、スイッチ用のリード線２３とは何ら関係ないので、光ファイバーが相当短くなるまで使用することができ、経済的である。
【図面の簡単な説明】
【００１９】
【図１】本発明によるレーザハンドピースの一実施例を説明するための一部切り欠き全体構成図、及び、スイッチ部断面図である。
【図２】本発明によるレーザハンドピース用スイッチ装置の実施例を説明するための図である。
【符号の説明】
【００２０】
１…レーザハンドピース、２…レーザハンドピース胴体部、３…光ファイバー及びリード線内包ケーブル、４…光ファイバー、１０…手元スイッチ部、１１…環状溝、１２…Ｃリング、１３1，１３2，１３3…押しボタンスイッチ、１４…キャップ部材、２０…手元スイッチ装置、２１…スイッチ部、２２…ホールド部、２３…リード線、２４1，２４2…押しボタンスイッチ。
【図１】
2004216170.tif 000003
【図２】
2004216170.tif 000004